(57)【要約】【課題】本発明は、上部エプロンの歪み等に影響されることなく、上下方向へのスライドをスムーズに行うことのできるエプロン構造を提供するものである。【解決手段】上記課題を解決するため、上下に分割された上部エプロンを浴槽のフランジ内側に取り付け、浴槽の側方の浴室壁面に取り付けた金具に沿って下部エプロンを上下方向へスライド可能に取り付け、上方へスライドした下部エプロンを支える落下防止手段を壁面に取り付けた上下スライド機構を有することを特徴とするエプロン構造。【選択図】図２
2006340941.tif 000002
【特許請求の範囲】
【請求項１】
浴槽のエプロンを上下に分割し、浴槽の側方の浴室壁面に取り付けた金具に沿って下部エプロンをスライド可能に取り付けたことを特徴とする上下スライド機構を有するエプロン構造。
【請求項２】
上方へスライドした下部エプロンを支える落下防止手段を、浴槽の側方の浴室壁面に設けたことを特徴とする請求項１記載の上下スライド機構を有するエプロン構造。
【請求項３】
下部エプロンの内側面に設けた半円筒体を、浴槽の側方の浴室壁面に取り付けた棒状体に嵌合させたことを特徴とする請求項１、又は請求項２記載の上下スライド機構を有するエプロン構造。
【請求項４】
下部エプロンの内側面に設けた半円筒体が嵌合する受け位置決め材を、浴槽の側方の浴室壁面の下方に取り付けたことを特徴とする請求項１〜３の何れか１記載の上下スライド機構を有するエプロン構造。
【発明の詳細な説明】
【技術分野】
【０００１】
本発明は、浴槽の外側面をタイル又は大理石等で化粧するエプロンに係るもので、上下に分割された下部エプロンを、上部エプロンに沿ってスライドさせるエプロン構造に関するものである。
【背景技術】
【０００２】
上下に分割された下部エプロンを上下にスライド可能としたエプロンを浴槽本体に取り付けた従来の浴槽エプロン構造として、
例えば、エプロンを下方において分割し、上部エプロンを浴槽フランジ裏面に位置させ、下部エプロンを上部エプロンに対して昇降自在に取り付けた浴槽エプロン「特許文献１」、
また、図７，８に示す浴槽ａの外側面を化粧するエプロンｂは、そのエプロンｂを上下に分割し、上下方向に長孔ｃ１を有するレールｃを上部エプロンｂ１に固設し、該長孔ｃ１に沿って摺動可能な雌螺子部材ｄをレールｃに嵌合し、下部エプロンｂ２に雄螺子部材ｅを嵌挿し、該雄螺子部材ｅを前記雌螺子部材ｄに螺合して、上部エプロンｂ１に下部エプロンｂ２を固定したエプロン付き浴槽「特許文献２」、
或いは、浴槽エプロンが上下に分割され、上部を構成する浴槽エプロンの下端部近傍に鍵形状部を設け、下部を構成する浴槽エプロン上端部近傍には、前記鍵形状部に引っ掛け固定し、前記上部エプロンと下部エプロンが浴槽に取付けた状態で略同一面で形成される浴槽エプロン「特許文献３」等が知られている。
【０００３】
しかし、上記した従来のエプロンは、分割された下部エプロンを上下にスライドさせるために、上部エプロンの裏側に下部エプロンをスライドするようにして取り付けているので、長年使用している間に上部エプロンに歪みが生じたとき、下部エプロンをスムーズにスライドすることができない、という問題点があった。
【特許文献１】実開平２−９８７８４号公報
【特許文献２】特開平１０−２９５５７３号公報
【特許文献３】特開２００３−１０２６３５号公報
【発明の開示】
【発明が解決しようとする課題】
【０００４】
本発明は、上記問題点を解決したもので、上部エプロンの歪み等に影響されることなく、上下方向へのスライドをスムーズに行うことのできるエプロン構造を提供するものである。
【課題を解決するための手段】
【０００５】
本発明は、上記課題を解決するための具体的手段として、上下に分割された上部エプロンを浴槽のフランジ内側に取り付け、浴槽の側方の浴室壁面に取り付けた金具に沿って下部エプロンを上下方向へスライド可能に取り付けた、上下スライド機構を有するエプロン構造を特徴とする。
【０００６】
また、上方へスライドした下部エプロンを支える落下防止手段を浴槽の側方の浴室壁面に取り付けた、上下スライド機構を有するエプロン構造を特徴とする。
【０００７】
更に、下部エプロンの内側面に設けた半円筒体を、浴槽の側方の浴室壁面に取り付けた棒状体に嵌合させた、上下スライド機構を有するエプロン構造を特徴とする。
【０００８】
また、下部エプロンの内側面に設けた半円筒体が嵌合する受け位置決め材を、浴槽の側方の浴室壁面下方に取り付けた、上下スライド機構を有するエプロン構造を特徴とする。
【発明の効果】
【０００９】
本発明の上下スライド機構を有するエプロン構造は、下部エプロンを、浴槽の側方の浴室壁面に取り付けたスライド用ガイドに沿って上下方向へスライドさせる構造にしてあるので、長年の使用によって上部エプロンに歪みが生じても、下部エプロンの上下方向へのスライドをスムーズにできるようになった。
【００１０】
また、下部エプロンをスライドさせるガイド部材である棒状体を、上下に分割した２部材にしてあるので、下部エプロンの取り付けを容易にできるようになった。
【００１１】
更に、下部エプロンをスライドさせるガイド部材を浴槽の側方の浴室壁面に取り付けたことにより中央間近に点検を妨げる障害物がない為、浴槽内部の点検が容易にできるようになった。
【００１２】
また、下部エプロンをスライドさせるガイド部材を浴槽の側方の浴室壁面に取り付けたことにより、下部エプロンを強固な壁面で支えることができた。
【００１３】
更に、下部エプロンを下げたとき、下部エプロンの半円筒体は、壁下方に取り付けた受け位置決め材に嵌合されるので、前後に移動することのない安定したエプロン構造を形成することができた。
【発明を実施するための最良の形態】
【００１４】
本発明を実施例に沿って詳細に説明する。
【実施例】
【００１５】
図１は、本発明のエプロン１を取り付けた浴槽２を、浴室内に設置した斜視図を示している。図２は、浴室内に設置した該浴槽２のエプロン１側を、垂直方向に切断した断面図を示している。図３は、本発明のエプロン１を構成する下部エプロン１１と、下部エプロン１１を上下方向へスライドさせる摺動装置３の斜視図を示している。図４は、下部エプロン１１を上下方向にスライドさせる該摺動装置３を水平方向に切断した断面図を示している。図５は、下部エプロン１１を上方へスライドさせたとき、その位置に下部エプロン１１を支える落下防止手段５の斜視図を示すものである。図６は、下部エプロン１１を下方へスライドさせたとき、下部エプロン１１を安定した状態で維持させる受け位置決め材９の斜視図を示すものである。図７は、浴槽ａと、その側壁面に取り付けるエプロンｂを分解した従来例の分解斜視図を示すものである。図８は、エプロンｂを構成する上部エプロンｂ１と下部エプロンｂ２との摺動装置を垂直方向に切断した従来例の断面図を示すものである。
【００１６】
本発明のエプロン付き浴槽について図１〜６により以下説明する。
本発明のエプロン１を取り付けた浴槽２を浴室内の所定の場所に設置し、該エプロン１の一側端より洗い場４に向けてカウンター５を取り付け、洗い場４には、該エプロン１１に沿って排水溝及び排水口が設けられている。
本発明のエプロン１は、上方にスライドする下部エプロン１１と、浴槽本体に固設される上部エプロン１２に分割され、その仕上げ材として、タイル、又は石材が使用される。
【００１７】
浴槽２の側壁上端部は、外側に折り曲げられてフランジ部２１が形成され、洗い場側になるフランジ部２１の内側には、上部エプロン１２と下部エプロン１１とに上下に分割したエプロン１が取り付けられる。
【００１８】
エプロン１を構成する上部エプロン１２は、フランジ部２１の外側面に合わせるようにして浴槽本体を形成する壁面に取り付けられる。
【００１９】
次に、下部エプロン１１の取り付けについて説明する。
浴槽２の側方の浴室壁面にスライド用ガイド部材６が取り付けられるが、該スライド用ガイド部材６は、壁面に取り付ける取付具６１と、該取付具６１に固設された円柱状の棒状体６２からなり、該棒状体６２は上下に分離する２部材６２１、６２２で構成されている。
２部材の結合については、例えば、棒状体６２を構成する上部材６２１、下部材６２２を円筒体に形成し、上下部材が対面する側の内側面に雌ねじを刻設し、外周面に雄ねじを刻設した接合材により上下部材６２１、６２２を結合する。
或いは、上下部材６２１、６２２の一方を円筒体に、他方を円柱体に形成し、上下部材が対面する円柱体の部材側端部から伸びる外周面に雄ねじを刻設した接合材を、円筒体の部材内側面に刻設された雌ねじへ螺合することにより、両者は結合される。  
【００２０】
更に、下部エプロン１１を上方にスライドさせた所定の位置より、下部エプロン１１を下方に落下させないための落下防止金具７が、浴槽の側方の浴室壁面下方に取り付けられる。
落下防止金具７として、例えば図５に示す蝶番状の落下防止金具７が使用され、落下防止金具７を形成する一方の平板７１を浴槽の壁面に固定し、下部エプロン１１を上方にスライドさせて所定の位置になったとき、通常は折り畳まれている他方の平板７２を開くことにより、下部エプロン１１の下側が支持される。
【００２１】
一方、上部エプロン１２の下方に設置された下部エプロン１１の内側面に、上記したスライド用ガイド部材６沿って上方にスライドさせる半円筒体８が設けられ、該半円筒体８はスライド用ガイド部材６に嵌合される。
【００２２】
又、上部エプロン１２の下方に下部エプロン１１が位置したとき、上部エプロン１２に対し安定した状態の下部エプロン１１とするため、浴槽の側方の浴室壁面下方に、下部エプロン１１の半円筒体８が嵌合する突起部９２を設けた受け位置決め材９が取り付けられている。
該受け位置決め材９の一例を示すと、平板９１の一側端部に設けた突起部９２と、該突起部９２側に設けた水平断面Ｌ形からなる取付板９３により形成されている。
【００２３】
該受け位置決め材９の取り付けは、平板９１と一体の取付板９３に設けた孔から釘、又はねじ釘等を打ち込むことにより、浴槽２の側方の浴室壁面下方に固定される。
【００２４】
次に、浴槽内部の清掃について説明すると、上部エプロン１２の内側に位置し、その下方にある下部エプロン１１の下側（図２参照）に手を入れ、下部エプロン１１が上方へスライドする方向に力を加える。これにより、下部エプロン１１の内側面に設けてある半円筒体８が、スライド用ガイド部材６である棒状体６２に沿ってスライドし、所定の位置になったとき壁面上方に取り付けてある落下防止金具７の平板７２を開き、下部エプロン１１の下面を該平板７２で支持することにより上部エプロン１２の内側に収納される。
【００２５】
この状態で浴槽２の壁面とエプロン１との間を点検、清掃した後、下部エプロン１１の下面を支える落下防止金具７の平板７２を浴槽の壁面側に回動することにより、下部エプロン１１は下方へのスライドが可能となる。
上方へのスライドと同様、下部エプロン１１の下面を手で支えながら下方へスライドさせ、下部エプロン１１の半円筒体８が、浴槽２の側方の浴室壁面に取り付けた受け位置決め部材９の突起部９２に嵌合することにより完了する。
【図面の簡単な説明】
【００２６】
【図１】本発明のエプロン付き浴槽を設置した浴室内を示す斜視図である。
【図２】本発明のエプロン付き浴槽を垂直方向に切断した断面図である。
【図３】本発明の下部エプロンをスライドさせる摺動装置の斜視図である。
【図４】本発明の摺動装置を水平方向に切断した断面図である。
【図５】本発明の下部エプロンを支持する落下防止手段の斜視図である。
【図６】本発明の下部エプロンを固定する受け位置決め材の斜視図である。
【図７】従来例を示す浴槽とエプロンの分解斜視図である。
【図８】従来例を示す摺動装置を垂直方向に切断した断面図である。
【符号の説明】
【００２７】
１     エプロン
１１   下部エプロン
１２   上部エプロン
２     浴槽
２１   フランジ部  
３     摺動装置
４     洗い場
５     カウンター
６     スライド用ガイド部材
６１   取付具
６２   棒状体
６２１ 上部材
６２２ 下部材
７     落下防止金具
７１   平板
７２   平板
８     半円筒体
９     受け位置決め材
９１   平板
９２   突起部
９３   水平断面Ｌ形板
ａ     浴槽
ｂ     エプロン
ｂ１   上部エプロン
ｂ２   下部エプロン
ｃ     レール
ｃ１   長孔
ｄ     雌螺子部材
ｅ     雄螺子部材
【図１】
2006340941.tif 000003
【図２】
2006340941.tif 000004
【図３】
2006340941.tif 000005
【図４】
2006340941.tif 000006
【図５】
2006340941.tif 000007
【図６】
2006340941.tif 000008
【図７】
2006340941.tif 000009
【図８】
2006340941.tif 000010